(57)【要約】【課題】屋内の人にとってわずらわしくなく、屋内空気から微粒子を除去または人体に害のないように浄化することができる噴霧装置を備えた遊技機を提供する。【解決手段】水分を霧状にして外部に噴霧する噴霧手段１４と、人が噴霧手段の近辺に存在することを検知する人体検知手段１２と、噴霧手段を制御する制御手段１５と、を備え、制御手段１５は、人体検知手段１２によって噴霧手段１４の近辺に人を検知しないときは、所定の時間間隔で噴霧手段１４を動作させて、外部に噴霧し、人体検知手段１２によって噴霧手段１４の近辺に人が検知されたときは、噴霧手段１４の動作を停止する。【選択図】図１
2010167187.tif 000002
【特許請求の範囲】
【請求項１】
水分を霧状にして外部に噴霧する噴霧手段と、
人が前記噴霧手段の近辺に存在することを検知する人体検知手段と、
前記噴霧手段を制御する制御手段と、を備え、
前記制御手段は、前記人体検知手段によって前記噴霧手段の近辺に人を検知しないときは、所定の時間間隔で前記噴霧手段を動作させて、外部に噴霧し、
前記人体検知手段によって前記噴霧手段の近辺に人が検知されたときは、前記噴霧手段の動作を停止することを特徴とする噴霧装置を備えた遊技機。
【請求項２】
前記所定の時間間隔を設定する入力手段を備えたことを特徴とする請求項１記載の噴霧装置を備えた遊技機。
【請求項３】
前記霧状の水分は、霧状電解水であることを特徴とする請求項１または２記載の噴霧装置を備えた遊技機。
【請求項４】
前記霧状の水分は、静電微粒子水であることを特徴とする請求項１または２記載の噴霧装置を備えた遊技機。
【発明の詳細な説明】
【技術分野】
【０００１】
本発明は、噴霧装置を備えた遊技機に関し、特に霧状の水分を噴霧する噴霧装置を備えた遊技機に関するものである。
【背景技術】
【０００２】
大気中には多くの浮遊物質が存在しており、住宅の密閉率上昇に伴い、壁面結露によるカビ汚染、あるいはタバコなどの臭気といった課題が浮上している。また、冬場のインフルエンザの流行や、ハウスダストや花粉などのアレルギー疾患の増加、建材から微量放散される揮発性化学物質による健康被害など、我々の人体に関わる問題も懸念されている。
【０００３】
そこで、室内の浮遊物質を除去するための技術として、電解水を微細な液滴として空間に放出して浮遊物質を除去する技術（例えば、非特許文献１等参照）が考えられており、また、室内の臭いを消すために、静電微粒子水を空間に噴出する技術（例えば、非特許文献２参照）が考えられている。
【０００４】
また、パチンコホール等の遊技場においては、臭いの問題を解決することが重要な課題となっている。遊技場では、多くの利用者が集まり、遊技を楽しんでいるが、中には、遊技中に喫煙を継続して行う利用者も少なくない。それにより、臭いが充満することにより、快適に遊技を楽しむことができなくなる可能性があり、結果として遊技場の利用者の数を減少させてしまうことがある。
【０００５】
そこで、遊技場等で発生する臭いに応じて香料を噴霧する装置とそれを備えた遊技機が考えられている（例えば、特許文献１参照）。
【先行技術文献】
【特許文献】
【０００６】
【特許文献１】特開２００７−７００６号公報
【非特許文献】
【０００７】
【非特許文献１】鈴木大輔他著、「霧状電解水を用いた空気浄化技術」、ＳＡＮＹＯ  ＴＥＣＨＮＩＣＡＬ  ＲＥＶＩＥＷ  ＶＯＬ．３７，ＮＯ．２  ＭＡＲ．２００６，８４頁−９１頁
【非特許文献２】山内俊幸他著、「静電微粒子水を利用した家電機器の開発」、Ｊ．Ａｅｒｏｓｏｌ  Ｒｅｓ．，２２（１），５−１０（２００７）
【発明の概要】
【発明が解決しようとする課題】
【０００８】
しかしながら、特許文献１での芳香装置では、香料を噴霧することにより、屋内の悪臭をよい臭いで取り除くという方法を用いているので、タバコによる悪い臭いの原因となる微粒子を取り除くものではなく、そのタバコ等からの人体にあまりよくない微粒子も人が吸い込んでしまう可能性があり、屋内空気を浄化することが困難であるという問題点があった。
また、パチンコ機等の遊技機は、多くの電子部品が用いられており、空気中のちりや微粒子によって、電子部品のショートや故障が起こる可能性もある。
【０００９】
さらに、非特許文献１及び非特許文献２で示された装置では、人がそれらの装置の近辺にいようといまいが関係なく、噴霧するものである。そのため、人がそれらの装置の近辺にいるときに噴霧されたときに、人にとって、その霧がわずらわしくなるという可能性があるという問題点があった。
【００１０】
本発明の目的は、上記課題に鑑み、屋内の人にとってわずらわしくなく、屋内空気から微粒子を除去または人体に害のないように浄化することができる噴霧装置を備えた遊技機を提供することにある。
【課題を解決するための手段】
【００１１】
本発明に係る噴霧装置を備えた遊技機は、上記の目的を達成するために、次のように構成される。
第１の噴霧装置を備えた遊技機（請求項１に対応）は、水分を霧状にして外部に噴霧する噴霧手段と、人が噴霧手段の近辺に存在することを検知する人体検知手段と、噴霧手段を制御する制御手段と、を備え、制御手段は、人体検知手段によって噴霧手段の近辺に人を検知しないときは、所定の時間間隔で噴霧手段を動作させて、外部に噴霧し、人体検知手段によって噴霧手段の近辺に人が検知されたときは、噴霧手段の動作を停止することを特徴とする。
第２の噴霧装置を備えた遊技機（請求項２に対応）は、上記の構成において、好ましくは、所定の時間間隔を設定する入力手段を備えたことを特徴とする。
第３の噴霧装置を備えた遊技機（請求項３に対応）は、上記の構成において、好ましくは、霧状の水分は、霧状電解水であることを特徴とする。
第４の噴霧装置を備えた遊技機（請求項４に対応）は、上記の構成において、好ましくは、霧状の水分は、静電微粒子水であることを特徴とする。
【発明の効果】
【００１２】
本発明によれば、水分を霧状にして外部に噴霧する噴霧手段と、人が噴霧手段の近辺に存在することを検知する人体検知手段と、噴霧手段を制御する制御手段と、を備え、制御手段は、人体検知手段によって噴霧手段の近辺に人を検知しないときは、所定の時間間隔で噴霧手段を動作させて、外部に噴霧し、人体検知手段によって噴霧手段の近辺に人が検知されたときは、噴霧手段の動作を停止するため、人にとってわずらわしくなく、噴霧した霧状の水分によって、屋内空気中の微粒子を除去し、または、人体に無害であるように浄化することができる。また、屋内空気中のちり等の微粒子を除去するので、パチンコ機等の遊技機に用いられている電子部品のショートや故障が起こる可能性を低減することができる。
【図面の簡単な説明】
【００１３】
【図１】本発明の第１実施形態に係る噴霧装置を備えた遊技機（パチンコ機）の外観を概略的に示した斜視図であり（ａ）、遊技機を分解した場合の外観を概略的に示した分解斜視図である（ｂ）。
【図２】本発明の第１実施形態に係る噴霧装置を備えた遊技機の噴霧装置の全体構成図である。
【図３】本発明の第１実施形態に係る噴霧装置を備えた遊技機の噴霧装置の内部構造を示した図である。
【図４】本発明の第１実施形態に係る噴霧装置を備えた遊技機の噴霧装置の制御装置を示すブロック構成図である。
【図５】本発明の第１実施形態に係る噴霧装置を備えた遊技機の噴霧装置の動作を説明するフローチャートである。
【図６】本発明の第２実施形態に係る噴霧装置を備えた遊技機の噴霧装置の内部構造を示した図である。
【図７】本発明の第２実施形態に係る噴霧装置を備えた遊技機の噴霧装置の制御装置を示すブロック構成図である。
【図８】本発明の第３実施形態に係る噴霧装を備えた遊技機の噴霧装置の内部構造を示した図である。
【図９】本発明の第３実施形態に係る噴霧装置を備えた遊技機の噴霧装置の制御装置を示すブロック構成図である。
【図１０】本発明の第３実施形態に係る噴霧装置を備えた遊技機の噴霧装置の動作を説明するフローチャートである。
【発明を実施するための形態】
【００１４】
以下、図面を用いて本発明を実施するための最良の形態を説明する。
【００１５】
図１（ａ）は、本発明の第１実施形態に係る噴霧装置を備えた遊技機（パチンコ機）の外観を概略的に示した斜視図である。また、図１（ｂ）は、遊技機を分解した場合の外観を概略的に示した分解斜視図である。
【００１６】
図１（ａ）において、パチンコ機１は、遊技場の遊技島に取り付けられる機枠１ａと、機枠１ａの前面に支持部１ｂによって回動可能に軸支された内枠１ｃと、内枠１ｃの前面に支持部１ｂによって回動可能に軸支されたフロント扉１ｄとを有し、機枠１ａの下側部分には、遊技球を収容するための受皿１ｅと、遊技球を打ち出すためのハンドル１ｆ等が設けられている。また、機枠１ａの上部には、噴霧装置１０を備えている。
【００１７】
遊技場では通常、施錠部（図示省略）を介して内枠１ｃとフロント扉１ｄが機枠１ａに対して施錠され、遊技機の管理者がメンテナンス等を行うために解錠した場合に限って、内枠１ｃとフロント扉１ｄを機枠１ａから前面へ回動させて開くことができるようになっている。
【００１８】
更に、図１（ｂ）の分解斜視図にて示すように、フロント扉１ｄには透明なガラス板１ｇが固着され、そのガラス板１ｇを介して遊技者が内枠１ｃに設けられている遊技盤１ｈを見ることができるようになっている。フロント扉１ｄと遊技盤１ｈの構造についての詳細な説明は省略するが、フロント扉１ｄの両側部分と上部には、視覚効果と音響効果を高めるための演出用のランプとスピーカ等が設けられており、遊技盤１ｈの盤面には、複数の入賞口、多数の遊技釘、視覚効果を高めるための演出用のランプや液晶表示パネル、ハンドル１ｆによって打ち出される遊技球を遊技盤１ｈの盤面上方へ案内するためのガイドレール等が設けられている。
【００１９】
内枠１ｃの背面、別言すれば遊技盤１ｈの背面には、パチンコ機１における遊技動作を全体的に集中制御等する主制御基板を収容した基板ケースと、上述の視覚効果と音響効果を高めるために演出用のランプや液晶表示パネル、スピーカを制御する演出用制御基板を収容した基板ケースが取り付けられている。また、主制御基板を収容した基板ケースと、演出用制御基板を収容した基板ケースの他、遊技機１内に設けられている電源装置や遊技球を配給するための機構等を制御するための各種制御基板を収容した基板ケースも遊技盤１ｈの背面に取り付けられている。
【００２０】
そして、図１（ａ）に示したように、内枠１ｃとフロント扉１ｄが機枠１ａに対して施錠されると、それらの基板ケースは遊技機１内に収容され、外部から見ることができないようになっている。
【００２１】
噴霧装置１０は、噴霧口１１と、人体検知センサ１２と、入力装置１３を備えており、入力装置１３によって、噴霧口１１から霧状の水分を放出する時間間隔を設定することができるようになっている。この噴霧装置１０は、パチンコ機１を利用している人がいないときには、人体検知センサ１２により人の検出がなされないので、そのときに動作し、設定した時間間隔で噴霧口１１から霧状の水分を放出する。そして、放出された霧状の水分が空気中のタバコ等からの微粒子に付着し、その重量によって微粒子を床に落下させ、空気を浄化する。また、パチンコ機１を利用している人がいるときは、人体検知センサ１２によって、人がいることを検出し、噴霧装置１０の噴霧口１１からの霧状の水分の噴霧を停止する。それによって、利用者が水分の影響を受けなく、霧にわずらわされることなく快適にパチンコをすることができる。
【００２２】
図２は、本発明の第１実施形態に係る噴霧装置の全体構成図である。また、図３は、本発明の第１実施形態に係る噴霧装置の内部構造を示した図である。噴霧装置１０は、噴霧器１４と人体検知センサ１２と制御装置１５とエアコンプレッサ１６から構成されている。人体検知センサ１２は、焦電素子などの人体から発せられる赤外線を検知することにより人がいることを検知するセンサであり、噴霧器１４の前部にセンサ部を下方に向けて取り付けられている。人体検知センサ１２は、その下方に人がいるか否かを検知する。すなわち、パチンコ機を利用している人がいるか否かを検知する。噴霧器１４は、水を貯留する水槽部１７と霧状の水分を浮遊させる霧室１８と霧状の水分を噴霧する噴霧口１１と水を入れる給水口１９と、噴霧器１４が動作しているときに点灯するＬＥＤ２０を備えている。霧室１８には、気流を導入する気流導入口２１を備え、その気流導入口２１には、気流を導入する気流導入管２２が取り付けられている。気流導入管２２は、エアコンプレッサ１６に接続されている。また、水槽部１７の霧室１８の真下には、超音波振動子２３が設けられている。制御装置１５の前面には、入力装置１３とスイッチ２４を備えている。なお、給水口１９からは、水槽部１７内の水が減少したときに、管理する人によって給水してもよいし、水槽部１７内の水が所定の量より減少したときに自動的に給水するようにしても良い。
【００２３】
この噴霧装置１０が動作すると、水槽部１７内の水を超音波振動子２３によって霧化し、数ナノオーダーから数十マイクロオーダーの様々な大きさの液滴が生成される。このとき、小さな液滴ほど拡散しやすく、主にナノオーダーの液滴が霧室１８へ拡散し、滞留する。霧室１８にはエアコンプレッサ１６からの気流導入管２２を通しての気流を導入しており、滞留していた微細な液滴は気流にのり、噴霧口１１から外部へ放出される。
【００２４】
図４は、制御装置１５を示すブロック構成図である。制御装置１５は、入力部３０、出力部３１、ＣＰＵ３２、記憶部３３を備えている。この制御装置１５では、予め噴霧器１４を動作させる時間間隔、すなわち、噴霧器１４を動作する時間Ｔ１と噴霧器１４の動作を停止する時間Ｔ２を入力装置１３から入力し、設定時間Ｔ１，Ｔ２を記憶部３３に記憶させる。また、記憶部３３には、噴霧装置１０の動作を制御する制御プログラムが記憶されている。
【００２５】
次に本実施形態の作用について図５のフローチャートを用いて説明する。スイッチ２４をオンにすると記憶部３３に記憶された制御プログラムが開始する。まず、人体検知センサ１２によって人を検知したか否か判断する（ステップＳ１１）。もし、人を検知した場合には、噴霧器１４を動作させず（ステップＳ１２）、ステップＳ１１を実行する。もし、ステップＳ１１で人を検知しないならば、ＣＰＵ３２は、記憶部３３から動作時間Ｔ１と停止時間Ｔ２を読み取り、時間Ｔ１の間、噴霧器１４を動作する。すなわち、エアコンプレッサ１６、超音波振動子２３を動作させ、噴霧口１１から霧状の水分を噴霧する。また、ＬＥＤ２０をオンにする（ステップＳ１３）。これにより、霧状の水分が空気中の微粒子に付着し、重さで落下することにより、屋内の空気の浄化をすることができる。次に時間Ｔ２の間、噴霧器１４を停止する（ステップＳ１４）。すなわち、エアコンプレッサ１６、超音波振動子２３の動作を停止する。その後、ステップＳ１１を実行する。これにより、噴霧装置１０は、人が噴霧装置１０の近辺にいないとき、時間Ｔ１の間、噴霧し、時間Ｔ２の間、噴霧を停止するという動作を繰り返して行う。また、時間Ｔ２をゼロに設定し、時間Ｔ１を適当な値に設定することにより、人が噴霧装置１０の近辺にいないとき、連続的に噴霧させることができる。
【００２６】
このように、噴霧した霧状の水分によって、屋内空気中の微粒子を除去し、または、人体に無害であるように浄化することができる。また、人が噴霧装置１０の近辺にいないときに噴霧するので、人が霧によって煩わしい思いをすることがなくなる。また、屋内空気中のちり等の微粒子を除去するので、パチンコ機等の遊技機に用いられている電子部品のショートや故障が起こる可能性を低減することができる。
【００２７】
次に、本発明の第２の実施形態に係る噴霧装置を備えた遊技機を説明する。図６は、本発明の第２実施形態に係る噴霧装置を備えた遊技機の噴霧装置の内部構造を示す構成図である。また、図７は、本発明の第２実施形態に係る噴霧装置を備えた遊技機の噴霧装置の制御装置を示すブロック図である。第２の実施形態では、図１〜図３で示した噴霧装置１０において、水槽部１７内に電極４１，４２を備えている装置である。それにより、噴霧口１１から噴霧される霧状の水分は、霧状電解水である。また、制御装置４３は、次に述べるように一部変更される。また、図６と図７では第１実施形態と同様の構成要素には同一の符号を付し、説明を省略する。
【００２８】
図６で示すように噴霧装置４０は、図３で示した噴霧装置１０の水槽部１７内に電極４１，４２を設け、また、それらの電極４１，４２に電圧を与えるＤＣ電源４４とスイッチ４５を備えている。電極４１，４２により、水槽部１７内で水が電気分解し、電解水を生成する。この電解水を超音波振動子２３によって霧化し、数ナノオーダーから数十マイクロオーダーの様々な大きさの電解水液滴が生成される。このとき、小さな液滴ほど拡散しやすく、主にナノオーダーの液滴が霧室１８へ拡散し、滞留する。霧室１８にはエアコンプレッサ１６からの気流導入管２２を通しての気流を導入しており、滞留していた微細な電解水液滴は気流にのり、噴霧口１１から外部へ放出される。
【００２９】
図７に示すように、入力部３０、出力部３１、ＣＰＵ３２、記憶部３３を備えている。この制御装置４３では、予め噴霧器１４を動作させる時間間隔、すなわち、噴霧器１４を動作する時間Ｔ１と噴霧器１４の動作を停止する時間Ｔ２を入力装置１３から入力し、設定時間Ｔ１，Ｔ２を記憶部３３に記憶させる。また、記憶部３３には、噴霧装置１０の動作を制御する制御プログラムが記憶されている。また、この制御装置４３は、第１実施形態で説明したエアコンプレッサ１６、超音波振動子２３、ＬＥＤ２０の動作の制御以外に、ＤＣ電源４４のスイッチ４５の制御も行う。
【００３０】
次に第２実施形態に係る噴霧装置の作用について説明する。第２実施形態での作用は、基本的には、第１実施形態と同様であるので、図５のフローチャートを用いて説明する。スイッチ２４をオンにすると記憶部３３に記憶された制御プログラムが開始する。この制御プログラムでは、第１実施形態での制御プログラムに、ＤＣ電源４４のスイッチ４５の制御をするプログラムも含まれている。まず、人体検知センサ１２によって人を検知したか否か判断する（ステップＳ１１）。もし、人を検知した場合には、噴霧器１４を動作させず（ステップＳ１２）、ステップＳ１１を実行する。もし、ステップＳ１１で人を検知しないならば、ＣＰＵ３２は、記憶部３３から動作時間Ｔ１と停止時間Ｔ２を読み取り、時間Ｔ１の間、噴霧器１４を動作する。すなわち、エアコンプレッサ１６、超音波振動子２３を動作させ、噴霧口１１から霧状の水分を噴霧する。そのとき、ＤＣ電源４４のスイッチ４５をオンにし、電極４１，４２に電圧を印加する。それにより、水槽部１７内の水の電気分解が起こり、電解水を生成する。そして、噴霧口１１から噴霧される霧状の水分は、電解水液滴である。また、ＬＥＤ２０をオンにする（ステップＳ１３）。これにより、霧状の電解水が空気中の微粒子に付着し、重さで落下するとともに、浮遊細菌に対する除菌効果と、浮遊ウイルスに対する感染力低減効果と、アレルゲン物質の抗原性低減効果と、臭気に対する脱臭効果を示し、屋内の空気の浄化をすることができる。次に時間Ｔ２の間、噴霧器１４を停止する（ステップＳ１４）。すなわち、エアコンプレッサ１６、超音波振動子２３の動作を停止する。その後、ステップＳ１１を実行する。これにより、噴霧装置１０は、人が噴霧装置１０の近辺にいないとき、時間Ｔ１の間、噴霧し、時間Ｔ２の間、噴霧を停止するという動作を繰り返して行う。また、時間Ｔ２をゼロに設定し、時間Ｔ１を適当な値に設定することにより、人が噴霧装置１０の近辺にいないとき、連続的に噴霧させることができる。
【００３１】
このように、噴霧した霧状電解水によって、屋内空気中の微粒子を除去し、また、人体に無害であるように浄化することができる。具体的には、霧状電解水により、浮遊細菌に対する除菌効果と、浮遊ウイルスに対する感染力低減効果と、アレルゲン物質の抗原性低減効果と、臭気に対する脱臭効果を示すことができる。また、屋内空気中のちり等の微粒子を除去するので、パチンコ機等の遊技機に用いられている電子部品のショートや故障が起こる可能性を低減することができる。
【００３２】
次に、本発明の第３の実施形態に係る噴霧装置を備えた遊技機を説明する。図８は、第３実施形態に係る噴霧装置５０の構成図である。図９は、第３実施形態に係る噴霧装置５０の制御装置のブロック構成図である。第３の実施形態では、図８で示すように、図１で示した噴霧装置において、噴霧器が静電微粒子水の発生装置５１によって構成される。それにより、噴霧口５２から噴霧される霧状の水分は、静電微粒子水である。また、制御装置５３は、次に述べるように一部変更される。図８と図９では、第１実施形態と同様の構成要素には同一の符号を付し、説明を省略する。
【００３３】
図８で示すように噴霧装置５０の噴霧器５１としての静電微粒子水の発生装置５１Ａは、ペルチェ素子５４と冷却フィン５５と放電電極５６と、放電電極５６の上方に同心円対極５７を配置し、放電電極５６の先端部６２に電界を集中させる構造になっている。また、ペルチェ素子５４に電圧を印加するための電源５８とスイッチ５９を設けている。さらに、放電電極５６に高電圧を印加するための電源６０とスイッチ６１を設けている。
【００３４】
この噴霧装置５０では、スイッチ５９をオンにすることでペルチェ素子５４に電圧を印加し、放電電極５６を冷却することで空気中の水蒸気を結露させた後、スイッチ６１をオンにして約−５ｋＶの直流電圧を加えることで放電電極５６の先端部６２の結露水の微小領域で電荷集中が起こる。この時、先端部６２の電荷を有する水の微小領域では上向きに静電気力が、下向きには重力が働く。電荷量の増加によって静電気力が重力の下向きの力を上回った時点で、静電微粒子水が空間中に放出される。
【００３５】
図９に示すように、入力部３０、出力部３１、ＣＰＵ３２、記憶部３３を備えている。この制御装置５３では、予め噴霧器を動作させる時間間隔、すなわち、噴霧器５１を動作する時間Ｔ１と噴霧器５１の動作を停止する時間Ｔ２を入力装置１３から入力し、設定時間Ｔ１，Ｔ２を記憶部３３に記憶させる。また、記憶部３３には、噴霧装置５０の動作を制御する制御プログラムが記憶されている。また、この制御装置５３は、第１実施形態で説明したエアコンプレッサ１６、超音波振動子２３の動作の制御の代わりに、スイッチ５９、スイッチ６１の制御を行う。
【００３６】
次に第３実施形態に係る噴霧装置の作用について図１０のフローチャートを用いて説明する。スイッチ２４をオンにすると記憶部３３に記憶された制御プログラムが開始する。まず、スイッチ５９をオンにし、ペルチェ素子を動作させる（ステップＳ２１）。人体検知センサ１２によって人を検知したか否か判断する（ステップＳ２２）。もし、人を検知した場合には、噴霧器５１を動作させず（ステップＳ２３）、ステップＳ１１を実行する。もし、ステップＳ１１で人を検知しないならば、ＣＰＵ３２は、記憶部３３から動作時間Ｔ１と停止時間Ｔ２を読み取り、時間Ｔ１の間、噴霧器５１を動作する。すなわち、スイッチ６１をオンにし、放電電極５６に約−５ｋＶの直流電圧を加える。それにより放電電極５６の先端部６２の結露水の微小領域で電荷集中が起こる。そして、電荷量の増加によって静電気力が重力の下向きの力を上回った時点で、静電微粒子水が空間中に放出される。また、ＬＥＤ２０をオンにする（ステップＳ２４）。これにより、霧状の静電微粒子水が空気中の微粒子に付着し、重さで落下するとともに、臭気の低減作用、花粉不活化作用、ダニ抗原不活化作用を示し、屋内の空気の浄化をすることができる。次に時間Ｔ２の間、噴霧器５１を停止する（ステップＳ２５）。すなわち、スイッチ６１をオフする。その後、ステップＳ２２を実行する。これにより、噴霧装置５０は、人が噴霧装置５０の近辺にいないとき、時間Ｔ１の間、噴霧し、時間Ｔ２の間、噴霧を停止するという動作を繰り返して行う。また、時間Ｔ２をゼロに設定し、時間Ｔ１を適当な値に設定することにより、人が噴霧装置１０の近辺にいないとき、連続的に噴霧させることができる。
【００３７】
このように、噴霧した霧状の水分である静電微粒子水によって、屋内空気中の微粒子を除去し、または、人体に無害であるように浄化することができる。そして、臭気の低減作用、花粉不活化作用、ダニ抗原不活化作用を生じることができる。また、屋内空気中のちり等の微粒子を除去するので、パチンコ機等の遊技機に用いられている電子部品のショートや故障が起こる可能性を低減することができる。
【００３８】
なお、本実施形態では、噴霧装置の近辺に人が検知されたときは、噴霧装置の動作を停止し、噴霧しないようにしたが、噴霧装置の近辺に人が検知されたとき、噴霧装置から人の気にならない程度に噴霧するようにしてもよい。
【００３９】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【符号の説明】
【００４０】
１          遊技機（パチンコ機）
１０        噴霧装置
１１        噴霧口
１２        人体検知センサ
１３        入力装置
１４        噴霧器
１５        制御装置
１６        エアコンプレッサ
１７        水槽部
１８        霧室
１９        吸水口
２０        ＬＥＤ
２１        気流導入口
２２        気流導入管
２３        超音波振動子
２４        スイッチ
５０        噴霧装置
【図１】
2010167187.tif 000003
【図２】
2010167187.tif 000004
【図３】
2010167187.tif 000005
【図４】
2010167187.tif 000006
【図５】
2010167187.tif 000007
【図６】
2010167187.tif 000008
【図７】
2010167187.tif 000009
【図８】
2010167187.tif 000010
【図９】
2010167187.tif 000011
【図１０】
2010167187.tif 000012